(57)【要約】【課題】原稿の裏面読み取りにＣＩＳを用いるＡＤＦにおいて、コストアップを招くことなしに、異常画像の発生を抑止できるようにする。【解決手段】例えば、ジャム紙の除去や清掃のために開閉可能に設けられた、原稿を搬送経路上の読取位置に案内するためのガイドユニットの閉状態が不十分な場合、第２読取部による第２読取ローラの読み取りを行って、シェーディングデータを生成する（Ｓ１１）。こうして得たシェーディングデータを、基準となる比較用の白基準データと比較し（Ｓ１２）、その比較の結果に基づいて、搬送経路の開閉状態を判定する（Ｓ１３）。異常有の場合、ガイドユニットが半開状態であることをユーザに通知し（Ｓ１４）、実際の原稿読取動作を実行する前に、ガイドユニットを確実に閉じるように促すように構成されている。【選択図】図７
2015023395.tif 000002
【特許請求の範囲】
【請求項１】
原稿を取り込んで、搬送路上を搬送させる原稿搬送手段と、
前記原稿搬送手段によって前記搬送路上を搬送される前記原稿を、前記搬送路上の読取位置に案内するための搬送経路と、
前記搬送路上の読取位置に設けられ、前記搬送経路内に案内された前記原稿の画像面を、前記原稿の搬送方向に直交する主走査方向に走査することによって、前記原稿の画像面より原稿像を読み取る画像読取手段と、
前記画像読取手段に対向する、前記搬送経路に設けられた白基準部材を前記画像読取手段によって読み取ることにより、前記シェーディング補正用の白基準データを生成する白基準データ生成手段と、
前記画像読取手段に対して、前記搬送経路を開閉動作可能に支持する経路可動部と、
前記白基準データ生成手段によって生成された前記シェーディング補正用の白基準データを、前記搬送経路の閉状態時に前記白基準部材を前記画像読取手段によって読み取った際の前記シェーディング補正用の白基準データと比較した結果に基づいて、前記経路可動部による前記搬送経路の開閉状態を判定する判定手段と、
を備えることを特徴とする自動搬送読取装置。
【請求項２】
前記経路可動部による前記搬送経路の開閉動作を検知する開閉検知手段を、さらに備え、
前記判定手段は、前記開閉検知手段によって前記搬送経路の閉動作を検知したことを条件に、前記搬送経路の開閉状態を判定することを特徴とする請求項１に記載の自動搬送読取装置。
【請求項３】
前記判定手段は、前記比較の結果、前記白基準データ生成手段によって生成された前記白基準データが所定の許容範囲外の場合に、前記搬送経路上を搬送される原稿と前記画像読取手段との距離が焦点深度の適正値の範囲から外れているとして、前記搬送経路の開状態を判定することを特徴とする請求項１または２に記載の自動搬送読取装置。
【請求項４】
前記画像読取手段によって前記原稿像の読み取りが正常に行われた際の前記シェーディング補正用の白基準データを記憶する記憶手段を、さらに備えることを特徴とする請求項１〜３のいずれか一項に記載の自動搬送読取装置。
【請求項５】
前記記憶手段は、不揮発性メモリを用いて構成されることを特徴とする請求項４に記載の自動搬送読取装置。
【請求項６】
前記判定手段は、前記画像読取手段の前記主走査方向における複数の箇所に対して、前記シェーディング補正用の白基準データの比較を行うものであることを特徴とする請求項１〜４のいずれか一項に記載の自動搬送読取装置。
【請求項７】
請求項１〜６のいずれか一項に記載の自動搬送読取装置と、
前記自動搬送読取装置によって読み取られた前記画像信号に基づいて画像形成動作を行う画像形成部と、を備えることを特徴とする画像形成装置。
【発明の詳細な説明】
【技術分野】
【０００１】
本発明は、自動搬送読取装置およびこれを備えた画像形成装置に関するもので、特に、画像形成装置などに実装されるシートスルー方式の自動原稿搬送装置（Ａｕｔｏ  Ｄｏｃｕｍｅｎｔ  Ｆｅｅｄｅｒ、単にＡＤＦともいう）に関する。
【背景技術】
【０００２】
従来、スキャナなどの画像読取装置の原稿読取部、あるいは、ファクシミリ装置や複写機などの画像形成装置の原稿読取部においては、原稿を自動給紙するＡＤＦの実装が可能とされている。
【０００３】
この種のＡＤＦにおいて、原稿の搬送方向に直交する主走査方向に沿って並行にライン形状の光源と光電変換素子とを配置してなる、密着型構造のイメージセンサ（ＣＩＳ）を搭載したものが知られている（例えば、特許文献１参照）。
【０００４】
この特許文献１に記載のＡＤＦは、両面原稿の読み取りにおいて、搬送される原稿の表面画像を第１読取部によって、裏面画像を第２読取部（画像読取部）としてのＣＩＳによって、それぞれ読み取るように構成されている。
【０００５】
しかしながら、上記した特許文献１に記載のものは、照明深度のバラツキに起因した画像データの変動を抑制するために、基準白データの生成時に、画像読取部の読取面と白色部材の表面との間隔を狭める間隔制御を行うようにしたものである。すなわち、シェーディング補正用の基準白データを生成する際には、コントローラ部が、白色部材を画像読取部の読取面との間隔が狭まる位置に上昇（移動）させることにより、画像読取部の読取面と白色部材の表面との間隔を狭める。この状態において、基準白データを生成した後には、白色部材を画像読取部の読取面との間隔が拡がる位置に下降（移動）させることにより、画像読取部の読取面と白色部材の表面との間隔を元に戻す。こうして、原稿から読み取った画像データに対するシェーディング補正を照明深度特性の影響を受けることなく実施可能にし、出力画像における縦スジの発生を回避するようになっている。
【０００６】
そのために、特許文献１の場合には、照明深度特性に起因した異常画像の発生は防ぐことができるものの、両面原稿を画像読取部に案内するための搬送経路の開閉状態を判定することまでは考慮していない。よって、搬送経路が半開状態（不完全な閉状態）とされた場合における異常画像の発生は抑止できないという問題があった。
【０００７】
要するに、両面原稿を画像読取部に案内する搬送経路は、通常、ジャム紙の除去や清掃のために、ガイドユニットの開閉動作に伴って、ＣＩＳの読取面に対して開閉可能に設けられる。搬送経路は、ユーザが完全に閉じたつもりでもガイドユニットがフックによって確実に固定されていない半開状態の場合が存在し、この半開状態の場合であっても、両面原稿の搬送が可能となっている。一般に、ＣＩＳの焦点深度は極めて浅いため、搬送経路が半開状態となって、搬送される両面原稿とＣＩＳとの距離が焦点深度の適正値より外れると、結果として異常画像を発生させる可能性がある。搬送経路の半開状態は、高精度なセンサを用いることにより検知することは可能であるものの、高精度なセンサは高価なため、コストアップにつながる。
【発明の概要】
【発明が解決しようとする課題】
【０００８】
本発明は、上述したような問題を解決するためになされたもので、コストアップなしで、搬送経路の開閉状態を判定でき、異常画像の発生を抑止することができる自動搬送読取装置およびこれを備えた画像形成装置を提供することにある。
【課題を解決するための手段】
【０００９】
本発明に係る自動搬送読取装置は、原稿を取り込んで、搬送路上を搬送させる原稿搬送手段と、前記原稿搬送手段によって前記搬送路上を搬送される前記原稿を、前記搬送路上の読取位置に案内するための搬送経路と、前記搬送路上の読取位置に設けられ、前記搬送経路内に案内された前記原稿の画像面を、前記原稿の搬送方向に直交する主走査方向に走査することによって、前記原稿の画像面より原稿像を読み取る画像読取手段と、前記画像読取手段に対向する、前記搬送経路に設けられた白基準部材を前記画像読取手段によって読み取ることにより、前記シェーディング補正用の白基準データを生成する白基準データ生成手段と、前記画像読取手段に対して、前記搬送経路を開閉動作可能に支持する経路可動部と、前記白基準データ生成手段によって生成された前記シェーディング補正用の白基準データを、前記搬送経路の閉状態時に前記白基準部材を前記画像読取手段によって読み取った際の前記シェーディング補正用の白基準データと比較した結果に基づいて、前記経路可動部による前記搬送経路の開閉状態を判定する判定手段と、を備える構成を有する。
【発明の効果】
【００１０】
本発明によれば、コストアップなしで、搬送経路の開閉状態を判定でき、異常画像の発生を抑止することができる自動搬送読取装置およびこれを備えた画像形成装置を提供できる。
【図面の簡単な説明】
【００１１】
【図１】本発明の実施形態に係る自動原稿搬送装置を備えた装置本体の斜視図である。
【図２】本発明の実施形態に係る自動原稿搬送装置の概略断面図である。
【図３】本発明の実施形態に係る自動原稿搬送装置における第２読取搬送部の構成を示すもので、（ａ）は搬送経路の閉状態を、（ｂ）は搬送経路の開状態を、それぞれ示す概略断面図である。
【図４】本発明の実施形態に係る自動原稿搬送装置におけるガイドユニットの半開状態を示す概略断面図である。
【図５】本発明の実施形態に係る自動原稿搬送装置における制御回路の概略構成を示すブロック図である。
【図６】本発明の実施形態に係る自動原稿搬送装置における第２読取部の構成例を示すブロック図である。
【図７】本発明の実施形態に係る自動原稿搬送装置における搬送経路の開閉判定処理の流れを説明するために示すフローチャートである。
【図８】本発明の実施形態に係る自動原稿搬送装置における搬送経路の開閉判定処理について説明するために示す図であり、（ａ）は異常無時を、（ｂ）は異常有時を、（ｃ）は異常有時（ＣＩＳ手前端部側）を、それぞれ示す図である。
【発明を実施するための形態】
【００１２】
以下、本発明に係る自動搬送読取装置の実施形態について、図面を参照して説明する。なお、本実施の形態においては、画像読取装置または画像形成装置に実装され、画像読取装置または画像形成装置の原稿読取部に対して被読取用の原稿を自動給紙する自動原稿搬送装置（以下、ＡＤＦと略記する）を例に説明する。
【００１３】
図１は、ＡＤＦ６０の実装例を示すものである。
【００１４】
ＡＤＦ６０は、イメージスキャナなどの画像読取装置または複写機やプロッタなどの画像形成装置（画像形成動作を行う画像形成部）の、装置本体５０における原稿読取部の原稿台５１上に実装される。ＡＤＦ６０は、装置本体５０の奥側、つまりユーザが操作する手前側の操作部１０８とは反対の反操作側において、一般に、ヒンジ（蝶番）１０９を介して開閉自在に取り付けられている。すなわち、ＡＤＦ６０は、装置本体５０の奥側を軸に任意の角度をもってユーザの手動による開閉が可能とされている。これにより、原稿台５１上には、原稿の手動によるセットのほか、普通紙などからなる原稿のみでなく、雑誌などの厚みを有する原稿をもセットすることができるようになっている。
【００１５】
ここで、ＡＤＦ６０は、例えば、被読取用の原稿を所定の速度で搬送しながら装置本体５０の第１読取部によって表面画像の読み取りを行わせるとともに、ＡＤＦ６０の第２読取部によって裏面画像の読み取りを行うものである（いわゆる、シートスルー方式）。以下に、その基本的な構成、動作、作用について説明する。
【００１６】
図２は、ＡＤＦ６０の構成例を示すものである。
【００１７】
ＡＤＦ６０は、原稿の搬送路に沿うようにして、原稿セット部Ａ、分離給送部Ｂ、レジスト部Ｃ、ターン部Ｄ、第１読取搬送部Ｅ、第２読取搬送部Ｆ、排紙部Ｇ、および、スタック部Ｈが配置されている。これらの各部Ａ〜Ｈ（または、その一部）によって、原稿搬送手段が構成されている。
【００１８】
原稿セット部Ａは、被読取用の原稿を複数枚単位の原稿束１としてセットすることが可能とされている。原稿セット部Ａは、原稿束１をセットするための、可動原稿テーブル３を含む原稿テーブル２を有している。原稿束１は、原稿テーブル２上に原稿面（画像面であって、通常は表面画像側）を上向きにした状態でセットされる。なお、可動原稿テーブル３は、原稿テーブル２上にセットされる原稿束１の原稿枚数に応じて、図示矢印ａ，ｂ方向に上下動が可能な構成とされている。
【００１９】
また、原稿セット部Ａには、可動式のサイドガイドが設けられ、原稿テーブル２上にセットされる原稿束１の、搬送方向と直交する幅（主走査）方向が位置決めされるようになっている。また、原稿セット部Ａには、原稿束１のセットを検知するためのセットフィラー４、原稿セットセンサ５、および、底板ホームポジションセンサ６が設けられている。
【００２０】
さらに、原稿セット部Ａには、原稿テーブル２の上面にセットされた原稿束１における原稿の搬送方向の概略長を測定するための原稿長さ検知センサ３０，３１が設けられている。原稿長さ検知センサ３０，３１としては、例えば、反射型センサまたは原稿が１枚のときであっても検知可能なアクチェータタイプのセンサが用いられる。なお、原稿長さ検知センサ３０，３１は、少なくとも同一サイズの原稿のセット方向（原稿の長手方向が搬送方向に一致する縦搬送か、または、原稿の短手方向が搬送方向に一致する横搬送か）を判別することが可能な位置に配置される。
【００２１】
分離給送部Ｂは、原稿セット部Ａにセットされた原稿束１から原稿を１枚ごとに分離し、レジスト部Ｃに給送するものである。分離給送部Ｂは、ピックアップローラ７、テーブル上昇センサ８、給紙ベルト９、および、リバースローラ１０を有している。
【００２２】
ピックアップローラ７は、後述するピックアップ昇降モータ１０１により駆動される図示していないカム機構によって、矢印ｃ，ｄ方向に動作される。また、ピックアップローラ７は、後述するピックアップ搬送モータ１１５の正転により給紙（搬送）方向に回転される。このようにして、原稿読取動作の開始に伴って、ピックアップローラ７に当接する可動原稿テーブル３上の原稿束１の最上位の原稿が搬送方向側に取り込まれる。
【００２３】
テーブル上昇センサ８は、可動原稿テーブル３の上昇に伴って、可動原稿テーブル３上の原稿束１の最上位の原稿によりピックアップローラ７が上限の位置まで押し上げられたことを検知する。
【００２４】
給紙ベルト９は、後述する給紙モータ１０２の正転により給紙（搬送）方向に駆動される。リバースローラ１０は、給紙モータ１０２の正転により給紙とは逆方向（時計方向）に駆動される。この構成により、最上位の原稿とその下の原稿とを分離して、最上位の原稿のみを給紙できる構成となっている。
【００２５】
リバースローラ１０は、所定圧により給紙ベルト９と接し、給紙ベルト９と直接接しているとき、または、原稿を１枚だけ介して接している状態では、給紙ベルト９の回転につられて反時計方向につれ回りする。つれ回りする際の力を不図示のトルクリミッタのトルクよりも低くなるように設定しておくことによって、万が一、２枚以上の原稿が給紙ベルト９とリバースローラ１０との間に侵入した場合にも、重送が防止される。すなわち、リバースローラ１０は、重送時、本来の駆動方向である時計方向に回転し、余分な原稿を反搬送方向に押し戻すような働きをする。
【００２６】
レジスト部Ｃは、分離給送部Ｂより給送された原稿を一次突当整合するとともに、整合後の原稿を引き出してターン部Ｄに搬送するものである。レジスト部Ｃは、突き当てセンサ１１、プルアウトローラ１２、および、原稿幅センサ１３を有している。
【００２７】
突き当てセンサ１１は、分離給送部Ｂの給紙ベルト９によって送られる原稿の先端を検知するものである。先端が検知された原稿は、その先の停止状態にあるプルアウトローラ１２に突き当たるまで、突き当てセンサ１１による先端の検知から所定の距離だけ送られる。結果的には、原稿がプルアウトローラ１２に所定量の撓みをもって押し当てられた状態で、後述する給紙モータ１０２を停止させることにより、給紙ベルト９の駆動を停止させる。その際に、後述するピックアップ昇降モータ１０１を回転させ、ピックアップローラ７を原稿の上表面から退避させる。すなわち、レジスト部Ｃにおいては、原稿が給紙ベルト９の搬送力のみで送られることにより、原稿の先端がプルアウトローラ１２の上下ローラ対のニップに進入し、先端の整合（スキュー補正）が行われる。
【００２８】
プルアウトローラ１２は、スキュー補正の機能を有するとともに、スキュー補正された原稿を中間ローラ１４まで搬送する役目をもつ。プルアウトローラ１２は、例えば、後述する給紙モータ１０２の逆転により駆動される。なお、給紙モータ１０２の逆転時、プルアウトローラ１２および中間ローラ１４は駆動されるが、ピックアップローラ７および給紙ベルト９は駆動されない。
【００２９】
原稿幅センサ１３は、原稿の搬送方向に直交する幅方向に複数個並べられ、プルアウトローラ１２によって搬送される原稿の幅方向のサイズを検知する。なお、原稿の搬送方向の長さ（長さ方向のサイズ）は、原稿の先端および後端を突き当てセンサ１１で読み取ることにより、例えば、先端の検知から後端の検知までの間に給紙モータ１０２に供給されるパルス数から測定される。
【００３０】
ターン部Ｄは、レジスト部Ｃより搬送される原稿をターンさせて、原稿の画像面（表面画像側）を読取側(下)方向に向けて搬送するものである。ターン部Ｄは、中間ローラ１４および読取入口センサ１５を有している。
【００３１】
中間ローラ１４は、後述する中間搬送モータ１１３によって駆動され、レジスト部Ｃのプルアウトローラ１２により送られる原稿を第１読取搬送部Ｅに向けて搬送するものである。
【００３２】
読取入口センサ１５は、中間ローラ１４により搬送される原稿の先端を検知するものである。
【００３３】
ここで、原稿搬送動作の開始に伴って、原稿がレジスト部Ｃからターン部Ｄに搬送される際には、レジスト部Ｃでの搬送速度を第１読取搬送部Ｅでの搬送速度よりも高速に設定し、原稿が第１読取搬送部Ｅへ送り込まれるまでの処理時間の短縮化が図られている。
【００３４】
一方、原稿の先端が読取入口センサ１５により検知されると、読取入口ローラ１６の上下ローラ対のニップに原稿の先端が進入する前に、原稿の搬送速度を読取時の搬送速度と同速にするために、後述する中間搬送モータ１１３を制御して搬送速度の減速を開始する。同時に、後述する読取モータ１０３および読取入口モータ１１４を正転駆動して、第１読取搬送部Ｅの読取入口ローラ１６、第１読取ローラ１９、読取出口ローラ２３、第２読取搬送部Ｆの第２読取ローラ２６、ＣＩＳ出口ローラ２７を駆動する。また、原稿の先端がレジストセンサ１７によって検知されると、後述する読取入口モータ１１４を制御して、所定の搬送距離をかけて原稿の搬送速度を減速させ、原稿を第１読取部２０の手前で一時停止（レジスト停止）させる。
【００３５】
この後、原稿読取動作の開始に伴って、読取入口モータ１１４が制御されることにより、レジスト停止していた原稿は、第１読取部２０に対向する読取位置に先端が到達するまでの間に所定の搬送速度（読取時の搬送速度）に立ち上がるように増速されて搬送される。
【００３６】
第１読取搬送部Ｅは、原稿の表面画像を、コンタクトガラス２１の下方より読み取るものである。第１読取搬送部Ｅは、読取入口ローラ１６、レジストセンサ１７、第１読取ローラ１９、第１読取部２０、および、読取出口ローラ２３を有している。
【００３７】
読取入口ローラ１６は、読取入口モータ１１４によって駆動され、ターン部Ｄの中間ローラ１４により送られる原稿を第１読取部２０に向けて搬送するものである。
【００３８】
レジストセンサ１７は、読取入口ローラ１６により搬送される原稿の先端を検知するものである。
【００３９】
第１読取ローラ１９は、コンタクトガラス２１の上面側の、第１読取部２０の読取位置に対向する位置に設けられている。第１読取ローラ１９は、後述する読取モータ１０３によって駆動され、コンタクトガラス２１の上面に沿って原稿を搬送する。例えば、第１読取ローラ１９は、シェーディング補正用の白基準データを生成するための基準白部を兼用している。
【００４０】
第１読取部２０は、例えば、装置本体５０における原稿読取部のコンタクトガラス２１の下面に固定されており、ターン部Ｄによって画像面を下方向に向けて搬送される原稿の原稿像としての表面画像を光学的に読み取るものである。
【００４１】
本実施の形態においては、第１読取部２０を、装置本体５０の原稿読取部に配置してなる構成とした場合について説明したが、これに限らず、例えばＡＤＦ６０としては、第１読取部２０を内部に備えた構成とすることもできる。
【００４２】
第２読取搬送部Ｆは、第１読取搬送部Ｅによって表面画像が読み取られた両面原稿の原稿像としての裏面画像を読み取るものである。第２読取搬送部Ｆは、排紙センサ２４、第２読取部（画像読取手段）２５、第２読取ローラ２６およびＣＩＳ出口ローラ２７を有している。
【００４３】
排紙センサ２４は、読取出口ローラ２３により搬送経路（搬送路の一部）９０を搬送される原稿の先端を検知するものである。
【００４４】
第２読取部２５は、例えば、搬送経路９０の上方側に設けられ、搬送経路９０を搬送される原稿が両面原稿の場合に、その両面原稿の裏面画像（原稿の上方向の画像面）を光学的に読み取るものである。第２読取部２５としては、原稿の搬送方向に直交する主走査方向（原稿の幅方向）に沿って並行にライン形状の光源と光電変換素子とを配置してなる、密着型構造のイメージセンサ（Ｃｏｎｔａｃｔ  Ｉｍａｇｅ  Ｓｅｎｓｏｒ、単にＣＩＳともいう）が用いられる。ＣＩＳは、図示していない等倍結像系を有している。なお、このようなＣＩＳにより構成される第２読取部２５の詳細については、後述する。
【００４５】
第２読取ローラ２６は、搬送経路９０の下方側の、第２読取部２５の読取位置に対向する部位に設けられている。第２読取ローラ２６は、搬送経路９０上を搬送される原稿が、第２読取部２５の読取位置において浮き上がらないように抑える機能を有している。また、第２読取ローラ２６は、シェーディング補正用の白基準データ（シェーディングデータ）を生成するための基準白部（白基準部材）を兼用しており、例えば、後述する読取モータ１０３によって駆動される。
【００４６】
ＣＩＳ出口ローラ２７は、第２読取ローラ２６により搬送される原稿を排紙部Ｇに送るためのもので、後述する読取入口モータ１１４によって駆動される。
【００４７】
なお、裏面画像の読み取りを行わない片面原稿の場合、つまり片面読取時には原稿は第２読取搬送部Ｆを素通りする。
【００４８】
排紙部Ｇは、表面原稿の読み取りが完了した片面原稿または裏面原稿の読み取りが完了した両面原稿を機外に排出するものである。排紙部Ｇは、後述する排紙モータ１０４によって駆動される排紙ローラ２８を有している。
【００４９】
排紙センサ２４により原稿の先端を検知したタイミングに基づいて、排紙モータ１０４に与えるパルスをカウントし、排紙モータ１０４の駆動速度を、原稿の後端が排紙ローラ２８の上下ローラ対のニップから抜ける直前に減速させる。これにより、排紙トレイ２９上に排出される原稿が、排紙トレイ２９から飛び出さないように制御される。
【００５０】
スタック部Ｈは、排紙部Ｇにより排出される読取完了後の原稿を積載し、保持するものである。スタック部Ｈは、排紙された原稿を積層状態で保持するための排紙トレイ２９を有している。
【００５１】
本実施の形態において、第２読取搬送部Ｆは、原稿のジャム（搬送不良による詰まり）紙の除去やＣＩＳおよび基準白部（第２読取ローラ２６）などの清掃のために、搬送経路９０が第２読取部２５の読取位置（読取面）に対して開閉可能に設けられている。
【００５２】
図３および図４は、第２読取搬送部Ｆの構成例を示すものである。
【００５３】
図３（ａ）において、搬送経路９０は、固定状態の第１搬送ガイド９０ａと、開閉可能に設けられたガイドユニット７０の第２搬送ガイド９０ｂと、から構成されている。
【００５４】
第１搬送ガイド９０ａ側には、読取出口ローラ２３の上下ローラ対の上側ローラ２３ｂ、排紙センサ２４、第２読取部２５、ＣＩＳ出口ローラ２７の上下ローラ対の上側ローラ２７ｂ、および、排紙ローラ２８の上下ローラ対の上側ローラ２８ｂが設けられている。一方、第２搬送ガイド９０ｂ側には、読取出口ローラ２３の上下ローラ対の下側ローラ２３ａ、第２読取ローラ２６、ＣＩＳ出口ローラ２７の上下ローラ対の下側ローラ２７ａ、および、排紙ローラ２８の上下ローラ対の下側ローラ２８ａが設けられている。
【００５５】
ガイドユニット７０は、フック８０によって正規の位置に保持されることにより、後述するガイドユニット開閉センサ（開閉検知手段）Ｓ１によって搬送経路９０の閉状態が検知されるようになっている。フック８０は、搬送経路９０の外側、つまり原稿の搬送を妨げないように、上記した原稿台５１の奥側および手前側に設けられている。
【００５６】
図３（ｂ）に示すように、ガイドユニット７０は、軸（経路可動部）７１を中心に開閉動作可能に支持されている。なお、ガイドユニット７０の開閉は、ＡＤＦ６０を装置本体５０の奥側を軸に、手前側を持ち上げた状態で行われる。
【００５７】
すなわち、搬送経路９０でのジャム紙の除去および清掃は、ＡＤＦ６０を持ち上げて角度を変え、ＡＤＦ６０の下面を露出させた状態で、ガイドユニット７０を開くことによって行われる。この状態は、ＡＤＦ６０による原稿の自動搬送読取動作が不可の状態である。
【００５８】
このような構成のガイドユニット７０は、例えば図４に示すように、ユーザが完全に閉じたつもりでも、フック８０によって確実に固定されていない半開状態（半閉状態）の場合が存在する。この半開状態の場合であっても、搬送経路９０は、ガイドユニット開閉センサＳ１によって、結果として閉状態と誤検知されることにより、原稿の搬送が可能となる。
【００５９】
図５は、上記したＡＤＦ６０の制御回路の要部の構成例を示すものである。
【００６０】
図５に示すように、ＡＤＦ６０は、ＡＤＦ制御部としてのコントローラ部（判定手段）１００を備えている。コントローラ部１００には、レジストセンサ１７、原稿セットセンサ５、排紙センサ２４、突き当てセンサ１１、原稿幅センサ１３、読取入口センサ１５、テーブル上昇センサ８、および、底板ホームポジションセンサ６が接続されている。さらに、コントローラ部１００には、ガイドユニット開閉センサＳ１、および、ＡＤＦ開閉センサＳ２などが接続されている。ガイドユニット開閉センサＳ１は、ガイドユニット７０の開閉状態を間接的に検知するようになっている。
【００６１】
また、コントローラ部１００には、ピックアップ昇降モータ１０１、ピックアップ搬送モータ１１５、給紙モータ１０２、読取モータ１０３、排紙モータ１０４、底板上昇モータ１０５、読取入口モータ１１４、および、中間搬送モータ１１３が接続されている。
【００６２】
底板上昇モータ１０５は、可動原稿テーブル３を昇降させるようになっている。ピックアップ昇降モータ１０１は、アーム支持部材を介して、ピックアップローラ７を昇降させるようになっている。
【００６３】
ピックアップ搬送モータ１１５は、ピックアップローラ７を回転させるようになっている。給紙モータ１０２は、給紙ベルト９およびリバースローラ１０を回転させるようになっている。また、給紙モータ１０２は、逆転によりプルアウトローラ１２を回転させるようになっている。給紙モータ１０２としては、例えばＤＣモータまたはステッピングモータなどが用いられる。なお、プルアウトローラ１２を回転させる駆動モータは、給紙モータ１０２とは独立に設けることも可能である。
【００６４】
読取入口モータ１１４は、読取入口ローラ１６、ＣＩＳ出口ローラ２７などを回転させるようになっている。読取入口モータ１１４としては、ＤＣモータまたはステッピングモータなどが用いられる。中間搬送モータ１１３は、中間ローラ１４を回転させるようになっている。中間ローラ１４の駆動モータとしては、読取入口モータ１１４を兼用するようにしてもよい。
【００６５】
読取モータ１０３は、第１読取ローラ１９および第２読取ローラ２６を回転させるようになっている。排紙モータ１０４は、排紙ローラ２８を回転させるようになっている。
【００６６】
さらに、コントローラ部１００は、各センサ５，６，８，１１，１３，１５，１７，２４，Ｓ１，Ｓ２からの信号に基づいて、各モータ１０１〜１０５，１１３，１１４，１１５および第２読取部２５を制御するようになっている。因みに、第１読取部２０は、後述する本体制御部１１１によって制御されるようになっている。
【００６７】
また、コントローラ部１００には、シェーディング補正用の白基準データを記憶する記憶手段としての白基準データ記憶部１１６が接続されている。本実施の形態において、白基準データ記憶部１１６は、白基準データとして、例えば第２読取部２５によって搬送経路９０の閉状態時に両面原稿の裏面画像の読み取りが正常に行われた際の白基準データ（以下、比較用白基準データ）を記憶するようになっている。これにより、第２読取部２５および第２読取ローラ２６などの個体差や周辺環境などの状況差を吸収できる。
【００６８】
なお、白基準データ記憶部１１６は、例えば不揮発性メモリを用いて構成することにより、装置本体５０の電源のオフによりＡＤＦ６０の電源がオフされたとしても記憶する比較用白基準データが消失するのを防止できる。
【００６９】
コントローラ部１００は、装置本体５０の電源がオンされたとき、および、ガイドユニット開閉センサＳ１の出力に基づいて搬送経路９０の閉状態を判断した際に、通常のシェーディング補正動作を行って白基準データを取得する。また、コントローラ部１００は、この取得した白基準データを、白基準データ記憶部１１６に記憶されている比較用白基準データと比較し、その比較の結果に基づいて、搬送経路９０の開閉状態を判定する。例えば、取得した白基準データが所定の許容範囲内か否かにより、コントローラ部１００は、搬送経路９０の開閉状態を判定する。取得した白基準データが所定の許容範囲外であった場合、コントローラ部１００は、ガイドユニット７０が半開状態であることを懸念して、搬送経路９０が開状態であると判定する。この場合、コントローラ部１００は、ガイドユニット開閉センサＳ１の出力（閉状態検知）に優先させて、装置本体５０の操作部１０８を用いてメッセージを表示するなどして、ガイドユニット７０が半開状態である可能性をユーザに報知する。これにより、ガイドユニット７０が半開状態の場合において、たとえガイドユニット開閉センサＳ１によって搬送経路９０の閉状態が誤検知された場合にも、第２読取部２５と原稿との距離が焦点深度の適正値から外れることによる、異常画像の発生を抑止できる。
【００７０】
一方、装置本体５０には、装置全体の制御を行うための本体制御部１１１と、この本体制御部１１１にバス線１０６を介して接続された、ユーザによる各種の入力操作や動作指示を行うため操作部１０８と、が設けられている。本体制御部１１１は、インタフェース（以下、Ｉ／Ｆともいう）１０７を介して、ＡＤＦ６０のコントローラ部１００と接続されており、双方の間で制御信号などのデータの授受が行われるようになっている。なお、操作部１０８は、ジャム紙の発生や各種のエラーメッセージなどを表示する表示器を備えている。
【００７１】
ここで、ＡＤＦ６０による原稿搬送読取動作について簡単に説明する。
【００７２】
ユーザによって、操作部１０８のプリントキーが押下されると、Ｉ／Ｆ１０７を介して、本体制御部１１１からＡＤＦ６０のコントローラ部１００に原稿給紙信号が送信される。これにより、コントローラ部１００は、ピックアップ昇降モータ１０１、ピックアップ搬送モータ１１５を制御することにより、ピックアップローラ７を回転駆動して、原稿セット部Ａにおいて、原稿テーブル２上の原稿束１から１枚の原稿をピックアップさせる。
【００７３】
また、コントローラ部１００は、給紙モータ１０２や中間搬送モータ１１３などを制御して、給紙ベルト９、リバースローラ１０、プルアウトローラ１２、中間ローラ１４を駆動して、原稿を分離給送部Ｂ、レジスト部Ｃ、および、ターン部Ｄへと順に搬送させる。
【００７４】
原稿の先端が読取入口センサ１５により検知されると、コントローラ部１００は、Ｉ／Ｆ１０７を介して、本体制御部１１１にレジスト停止信号を送信する。
【００７５】
続いて、コントローラ部１００は、Ｉ／Ｆ１０７を介して、本体制御部１１１より読み取り開始信号を受信すると、読取モータ１０３および読取入口モータ１１４を制御して、読取入口ローラ１６および第１読取ローラ１９などを駆動させる。これにより、レジスト停止していた原稿は、読取位置に原稿の先端が到達するまでに所定の搬送速度に立ち上がるように増速されて、第１読取搬送部Ｅへと搬送される。
【００７６】
読取モータ１０３のパルスをカウントすることにより、検出された原稿の先端が第１読取部２０に対向する読取位置に到達するタイミングで、コントローラ部１００は、本体制御部１１１に対してゲート信号を送信する。このゲート信号は、原稿の表面画像の副走査方向の有効画像領域を示すもので、第１読取部２０を原稿の後端が抜けるまで送信される。
【００７７】
原稿が片面原稿の場合、つまり片面原稿の画像読み取りを行う場合には、コントローラ部１００は、読取モータ１０３および読取入口モータ１１４を制御して、読取出口ローラ２３、第２読取ローラ２６、ＣＩＳ出口ローラ２７を駆動する。これにより、第１読取搬送部Ｅを通過した原稿は、第２読取搬送部Ｆの第２読取部２５を経て、排紙部Ｇへと搬送される。
【００７８】
この際、コントローラ部１００は、排紙センサ２４により原稿の先端が検知されると、排紙モータ１０４を制御して排紙ローラ２８を駆動させる。また、排紙センサ２４によって原稿の先端を検知してからの、排紙モータ１０４の出力パルスをカウントすることにより、コントローラ部１００は、原稿の後端が排紙ローラ２８の上下ローラ対のニップから抜ける直前に排紙ローラ２８の駆動速度を減速させる。これにより、スタック部Ｈに排出される原稿が、排紙トレイ２９上から飛び出さないように制御される。
【００７９】
一方、両面原稿の画像読み取りを行う場合には、コントローラ部１００は、第２読取部２５による読取位置に原稿の先端が到達するタイミングで、本体制御部１１１に対して、原稿の裏面画像の副走査方向の有効画像領域を示すゲート信号を送信する。この場合、コントローラ部１００は、排紙センサ２４によって原稿の先端が検知されてからの、読取モータ１０３の出力パルスをカウントすることにより、ゲート信号の送信を開始する。また、コントローラ部１００は、第２読取部２５の読取位置を原稿の後端が抜けるタイミングで、ゲート信号の送信を終了する。
【００８０】
こうして、第２読取部２５による原稿の裏面画像の読み取りが終了すると、コントローラ部１００は、排紙モータ１０４を駆動して、排紙ローラ２８の回転を制御する。すなわち、排紙センサ２４によって原稿の先端を検知してからの、排紙モータ１０４の出力パルスをカウントすることにより、コントローラ部１００は、スタック部Ｈに排出される原稿が排紙トレイ２９上から飛び出さないように、排紙ローラ２８の駆動を制御する。
【００８１】
図６は、第２読取部２５の要部の構成例を示すものである。なお、第１読取部２０もほぼ同様の構成なので、その説明は省略する。
【００８２】
第２読取部２５は、ＣＩＳによる読み取り方式を用いた画像読取部であり、ＬＥＤアレイ、蛍光灯、または、冷陰極管などからなる照明手段である光源部２００を備えている。すなわち、主走査方向（原稿幅方向に対応するライン方向）に並ぶ複数のセンサＩＣチップ（以下、センサチップともいう）２０１と、その各センサチップ２０１に個別に接続された複数のアンプ回路２０２と、からなる走査部を備えている。
【００８３】
また、第２読取部２５には、各アンプ回路２０２に個別に接続された複数のアナログ／デジタル（Ａ／Ｄ）コンバータ２０３が設けられている。
【００８４】
さらに、第２読取部２５は、各Ａ／Ｄコンバータ２０３の出力信号（デジタル画像信号）に所定の処理を施すための、画処理部２０４、フレームメモリ２０５、出力制御回路２０６、および、Ｉ／Ｆ回路２０７を備えている。
【００８５】
複数のセンサチップ２０１は、それぞれ、等倍密着イメージセンサと称される光電変換素子と集光レンズとを備えたものである。
【００８６】
ここで、第２読取部２５による読取位置に原稿が進入するのに先立って、コントローラ部１００からは、光源部２００に点灯信号が送られる。これにより、光源部２００が点灯して、その光が原稿の画像面（裏面画像）に向けて照射されることによって、その画像面が主走査方向に光走査される。そして、原稿の画像面で反射された反射光は、各センサチップ２０１において、それぞれ、集光レンズによって光電変換素子に集光されてライン毎に光電変換されることにより、アナログ画像信号として読み取られる。
【００８７】
各センサチップ２０１でそれぞれ読み取られたアナログ画像信号は、対応する各アンプ回路２０２によってそれぞれ増幅された後、対応する各Ａ／Ｄコンバータ２０３によってそれぞれデジタル画像信号（以下、画像データともいう）に変換される。
【００８８】
これらデジタル画像信号は、画処理部２０４に入力されてシェーディング補正などに基づいた画像処理が施された後、フレームメモリ２０５に一時記憶される。
【００８９】
なお、第２読取部２５では、画処理部２０４がシェーディング補正を行うため、光源部２００を含む各部を用いて、シェーディング補正用の白基準データ（シェーディングデータ）を生成する処理も行う。すなわち、第２読取部２５内の各部が白基準データ生成手段を構成する。シェーディングデータの生成処理については、追って詳細に説明する。
【００９０】
フレームメモリ２０５に一時記憶されたデジタル画像信号は、出力制御回路２０６によって本体制御部１１１が受入可能なデータ形式に変換された後、Ｉ／Ｆ回路２０７を介して、本体制御部１１１に出力される。
【００９１】
なお、コントローラ部１００からは、原稿の先端が第２読取部２５の読取位置に到達するタイミング（そのタイミング以降の画像データが有効データとして扱われる）を知らせるためのタイミング信号が、出力制御回路２０６に出力される。また、コントローラ部１００からは、第２読取部２５に電源が供給されるようになっている。 
次に、本実施の形態において、ガイドユニット７０の半開状態により発生する異常画像を防止する方法について、具体的に説明する。
【００９２】
まず、異常画像の発生を防止する方法について説明する前に、ＣＩＳの特性について簡単に説明する。
【００９３】
一般に、ＣＩＳの焦点深度は、例えば５ｍｍ〜１０ｍｍ程度とかなり浅くて狭い範囲とされている。例えば、ガイドユニット７０の半開状態によって、第２読取ローラ２６による原稿の抑えが低下し、搬送経路９０上を原稿が浮き上がった状態で搬送された場合、第２読取部２５の読取位置と原稿との間隔（距離）が、搬送経路９０の閉状態時に比べて大きくなる。このように、読取位置において、搬送される原稿と第２読取部２５との距離が、ＣＩＳの焦点深度の適正値の範囲内から外れると、読み取った画像に悪影響が出て、結果として異常画像を発生させることとなる。
【００９４】
図７は、第２読取部２５における異常画像の発生を防止するための、搬送経路９０の開閉判定動作に係る処理の流れを示すものである。図８（ａ）〜（ｃ）は、シェーディング補正動作により取得した白基準データと、白基準データ記憶部１１６に記憶されている比較用白基準データと、の比較の結果をそれぞれ示すものである。
【００９５】
以下に、図７および図８（ａ）〜（ｃ）を参照して、搬送経路９０の開閉判定動作について説明する。
【００９６】
まず、ＡＤＦ６０のコントローラ部１００は、ガイドユニット開閉センサＳ１およびＡＤＦ開閉センサＳ２の検知出力に基づいて、ＡＤＦ６０およびガイドユニット７０の開閉動作に伴う、搬送経路９０の閉状態を判断したとする。
【００９７】
すると、ＡＤＦ６０が動作可能状態に設定されることに伴って、コントローラ部１００は、第２読取部２５を制御してシェーディング補正動作を行わせることにより、第２読取ローラ２６の読み取りによる白基準データを取得させる（ステップＳ１１）。
【００９８】
次いで、コントローラ部１００は、ステップＳ１１で取得した白基準データを、白基準データ記憶部１１６に記憶されている比較用白基準データと比較する（ステップＳ１２）。
【００９９】
比較の結果、例えば図８（ａ）に示すように、取得した白基準データの白基準レベルが、比較用白基準データの基準白レベルの上限および下限で示された範囲（所定の許容範囲）内にある場合、コントローラ部１００は、「異常無」と判定する（ステップＳ１３）。この場合、コントローラ部１００は、ユーザによってガイドユニット７０が完全に閉じられ、フック８０によって確実に固定されて、搬送経路９０が閉状態であると判定する。すなわち、第２読取部２５と原稿との距離が焦点深度の適正値の範囲内であるとして、この判定処理を終了する。
【０１００】
一方、上記ステップＳ１２における比較の結果、例えば図８（ｂ）に示すように、取得した白基準データの白基準レベルが、基準白レベルの上限および下限で示された範囲外にある場合、コントローラ部１００は、「異常有」と判定する（ステップＳ１３）。この場合、コントローラ部１００は、ガイドユニット開閉センサＳ１によってガイドユニット７０の閉状態が検知されてはいるものの、ガイドユニット７０が完全には閉じられておらず、フック８０によって確実に固定されていない半開状態であると判定する。
【０１０１】
すなわち、取得した白基準データの白基準レベルが基準白レベルの下限よりも低いということは、半開状態により第２読取部２５と第２読取ローラ２６との距離が離れたことを示している。
【０１０２】
その結果、コントローラ部１００は、この状態で搬送経路９０を搬送される原稿と第２読取部２５との距離が焦点深度の適正値の範囲外であるとして、Ｉ／Ｆ１０７を介して、本体制御部１１１に対応する制御信号を送信する。そして、操作部１０８の表示器を用いて、「半開状態」であることをユーザに報知させるためのエラーメッセージを表示させた後（ステップＳ１４）、この判定処理を終了する。
【０１０３】
このようにして、搬送経路９０の閉動作を検知したことを条件として、実際の読取動作が開始される前に、ユーザにガイドユニット７０を確実に閉じ直すように促すことにより、異常画像が発生するのを避けることが可能となる。
【０１０４】
なお、例えば図８（ｃ）に示すように、取得した白基準データの白基準レベルの一部が、基準白レベルの上限および下限で示された範囲外にある場合も、コントローラ部１００は、「異常有」と判定する（ステップＳ１３）。これにより、例えばガイドユニット７０の一方の端部（同図（ｃ）の場合は、ＣＩＳの手前側の端部）のみが完全に閉じられていないような異常有時の場合にも、同様に、異常画像が発生するのを避けることが可能となる。
【０１０５】
「半開状態」がどのような状況であるのか、例えば、ＣＩＳの両端部が半開状態なのか、ＣＩＳの一方の端部側だけが半開状態なのか、が不明であることを考慮すると、ライン方向の複数の箇所の白基準データを用いて、上記の開閉判定動作を実行するのが望ましい。特に、少なくとも両端部付近のいくつかの箇所の白基準データを用いて、上記の開閉判定動作を実行することによって、より正確な判定が可能になる。
【０１０６】
また、上記した開閉判定動作は、ガイドユニット開閉センサＳ１およびＡＤＦ開閉センサＳ２の検知出力に基づいて、ＡＤＦ６０が動作可能状態に設定された場合に実行されるようにしたが、この場合に限定されるものではない。例えば、装置本体５０の電源が投入された直後において、ＡＤＦ６０が動作可能状態に設定された場合においても、上記した開閉判定動作が実行されるようになっている。こうすることによって、必要最低限の開閉判定動作により、一般にシェーディング補正は、補正時における原稿読取動作の中断による生産性の低下と、ＣＩＳの損傷（短寿命化）と、を招くという危惧を解消できる。
【０１０７】
例えば、コントローラ部１００は、搬送経路９０の閉状態を判断しない場合には、無用なシェーディング補正を実行することなく、ユーザにガイドユニット７０を確実に閉じ直すように促すようになっている。
【０１０８】
なお、第２読取部２５により搬送経路９０の閉状態時に原稿の読み取りが正常に行われた際の白基準データを比較用白基準データとして用いる場合に限らず、例えば、前回のシェーディング補正時の白基準データや所定の規定値（固定値）を用いることとしてもよい。
【０１０９】
上記したように、両面原稿の裏面画像を読み取るための第２読取部２５を備える、いわゆるシートスルー方式のＡＤＦ６０において、コストアップなしで、搬送経路９０におけるガイドユニット７０の開閉状態を判定でき、半開状態での異常画像の発生を抑止できる。
【０１１０】
すなわち、本実施の形態によれば、ＡＤＦ６０の閉動作または電源の投入に伴ってＡＤＦ６０が動作可能状態に設定された場合に、第２読取部２５により第２読取ローラ２６の読み取りを行って、白基準データを取得する。そして、取得した白基準データを、例えば第２読取部２５によって搬送経路９０の閉状態時に両面原稿の裏面画像の読み取りが正常に行われた際の比較用白基準データと比較する。その比較の結果、搬送経路９０を搬送される原稿と第２読取部２５との距離が焦点深度の適正値の範囲内にあるか否かを判定する。これにより、搬送経路９０が開状態であるにも関わらず、ＡＤＦ６０が動作可能状態であると判断された場合にも、半開状態を直接検知できる特別なセンサなどを用いることなく、ガイドユニット７０が半開状態であることをユーザに報知することが可能となる。特別なセンサとして、例えば高精度なセンサや高価なセンサを用いることに限らず、場合によっては、ガイドユニット開閉センサＳ１をも不要とすることができる。
【０１１１】
こうして、ガイドユニット７０が半開状態となることが懸念されるタイミングでシェーディング補正を行い、異常有時にはユーザに通知し、事前に半開状態を解消するように促すことにより、ガイドユニット７０を確実にフック８０に固定させることが可能となる。したがって、第２読取部２５を構成するＣＩＳの焦点深度が極めて浅いことに起因して、原稿と第２読取部２５との距離が焦点深度の適正値から外れることに伴って発生する異常画像を容易に防止できるようになるものである。
【０１１２】
特に、このような構成とされたＡＤＦ６０を実装する装置本体５０、例えば複写機やプロッタなどにおいては、少なくとも第２読取部２５で読み取られる両面原稿の裏面画像に関して、異常画像に基づいた画像形成動作が行われるのを防止し得る。
【０１１３】
また、複写機やプロッタに限らず、ファクシミリ装置やスキャナなどにおいては、少なくとも第２読取部２５で読み取られる両面原稿の裏面画像を異常画像として取り込むのを防止し得る。
【０１１４】
なお、上記した実施の形態においては、両面原稿の読み取りが可能とされたＡＤＦ６０に適用するようにした場合を例に説明したが、これに限らず、例えば片面原稿を対象に、その表面画像を第２読取部２５により読み取る構成のＡＤＦにも同様に適用できる。
【０１１５】
または、両面原稿の読み取りが可能とされたＡＤＦ６０において、例えば、両面および片面原稿の表面画像を第２読取部２５で読み取る構成のものにも同様に適用可能である。
【０１１６】
また、上述した本実施の形態においては、第２読取ローラ２６を基準白部と兼用させるようにした場合に限らず、例えば、第２読取ローラ２６とは別に、専用の基準白部を読取位置に対向する位置に常に配置してなる構成としてもよい。または、シェーディング補正時にのみ、基準白部が第２読取部２５の読取位置に移動される構成としてもよい。
【０１１７】
以上の説明から明らかなように、本発明によれば、コストアップなしで、搬送経路の開閉状態を判定でき、異常画像の発生を抑止することができる自動搬送読取装置およびこれを備えた画像形成装置を提供できる。
【符号の説明】
【０１１８】
２１  コンタクトガラス
２３  読取出口ローラ
２５  第２読取部（画像読取手段、白基準データ生成手段）
２６  第２読取ローラ（白基準部材）
２７  ＣＩＳ出口ローラ
５０  装置本体（画像読取装置、画像形成装置）
５１  原稿台
６０  ＡＤＦ（自動搬送読取装置）
７０  ガイドユニット
７１  軸（経路可動部）
９０  搬送経路
１００  コントローラ部（判定手段）
１１６  白基準データ記憶部（記憶手段）
２０４  画処理部
Ｆ  第２読取搬送部（原稿搬送手段）
Ｓ１  ガイドユニット開閉センサ（開閉検知手段）
Ｓ２  ＡＤＦ開閉センサ
【先行技術文献】
【特許文献】
【０１１９】
【特許文献１】特開２０１１−１０３５７５号公報
【図１】
2015023395.tif 000003
【図２】
2015023395.tif 000004
【図３】
2015023395.tif 000005
【図４】
2015023395.tif 000006
【図５】
2015023395.tif 000007
【図６】
2015023395.tif 000008
【図７】
2015023395.tif 000009
【図８】
2015023395.tif 000010